(57)【特許請求の範囲】
【請求項１】
被取付部材の取付孔へ挿入され、外周に設けたフランジと取付爪部とで前記被取付部材を挟持することによって前記被取付部材に取り付けられる上面が開放した箱部の一方の対向する内側に、前記上面から挿入されるフックを係止する係止部がそれぞれ設けられている物品取付具において、
前記一方の対向する内面と並行する水平方向へ連なる平面部分と傾斜面部分とで前記各係止部を構成し、
前記平面部分同士および前記傾斜面部分同士を前記水平方向で重ならないようにずらしてなり、
前記フックは、前記各係止部の間で、当該係止部の平面部分に当接してわずかに回転しながら箱部を撓ませて係止部の間隔を拡げることにより係止部間を通過し、当該フックが係止部間を通過した後、箱部は自身の弾性で元に戻ることを特徴とする物品取付具。
【発明の詳細な説明】
【０００１】
【発明の属する技術分野】
この発明は、被取付部材に対して取り付けられ、開放した上面から挿入される物品に取り付けたフックを係止部で係止することにより、被取付部材に対して物品を取り付ける物品取付具に関するものである。
【０００２】
【従来の技術】
上記した従来の物品取付具は、被取付部材、例えば自動車のアンダーパネルの取付孔へ挿入され、外周に設けたフランジと取付爪部とでアンダーパネルを挟持することによってアンダーパネルに取り付けられる上面が開放した箱部の一方の対向する内側に、上面から挿入されるフックを係止する係止部がそれぞれ設けられている。
【０００３】
したがって、アンダーパネルに対して物品取付具を取り付け、物品取付具の開放した上面からリヤシートに取り付けたフックを挿入して係止部に係止させることにより、リヤシートをアンダーパネルに対して取り付けることができる。
なお、このような物品取付具は、例えば特開平８−３５５０９号公報に開示されている。
【０００４】
【発明が解決しようとする課題】
従来の物品取付具には、一方の対向する内側と平行する水平方向の同じ範囲で重なるように、一方の対向する内側にそれぞれ係止部が設けられている。
そして、係止部の間隔を上側から下側へ漸次狭くなるように係止部の対向する上側部分にフックを案内する傾斜面を設け、フックの係止部間への挿入力を小さくするようにしている。
【０００５】
しかしながら、係止部の間へフックを挿入して係止させる場合、係止部の間隔をフックが通過できるように一様に拡げなければならないので、係止部が水平方向の同じ範囲で対向していると、例えばフックを係止部間へ挿入する挿入力が２２６Ｎ（ニュートン）、フックを係止部間から抜き去る抜去力が２７６Ｎと両者の差は小さく、挿入力が２２６Ｎと大きいため、操作性が悪いという不都合があった。
【０００６】
この発明は、上記したような不都合を解消するためになされたもので、フックを係止させるのに充分な抜去力を確保しつつ、挿入力と抜去力との差が大きて操作性のよい物品取付具を提供するものである。
【０００７】
【課題を解決するための手段】
この発明は、被取付部材の取付孔へ挿入され、外周に設けたフランジと取付爪部とで前記被取付部材を挟持することによって前記被取付部材に取り付けられる上面が開放した箱部の一方の対向する内側に、前記上面から挿入されるフックを係止する係止部がそれぞれ設けられている物品取付具において、前記一方の対向する内面と並行する水平方向へ連なる平面部分と傾斜面部分とで前記各係止部を構成し、前記平面部分同士および前記傾斜面部分同士を前記水平方向で重ならないようにずらしてなり、前記フックは、前記各係止部の間で、当該係止部の平面部分に当接してわずかに回転しながら箱部を撓ませて係止部の間隔を拡げることにより係止部間を通過し、当該フックが係止部間を通過した後、箱部は自身の弾性で元に戻ることを特徴とする。
【０００８】
【発明の実施の形態】
以下、この発明の実施形態を図に基づいて説明する。
図１はこの発明の第１実施形態である物品取付具を示す平面図、図２は図１に示した物品取付具の正面図、図３は図１に示した物品取付具の底面図、図４は図１に示した物品取付具の右側面図、図５は図１のＡ−Ａ線による断面図、図６は図１のＢ−Ｂ線による断面図、図７は図１に示した物品取付具の利用例を示す分解斜視図、図８はフックの挿入から係止状態を示す説明図、図９は図１に示した物品取付具にフックを係止させた状態の正面図である。
なお、図１に示した物品取付具の背面図は図２に示した正面図と同一になり、図１に示した物品取付具の左側面図は図４に示した右側面図と同一になる。
【０００９】
図７，図９において、Ｐは被取付部材としての自動車のアンダーパネルを示し、長方形の取付孔ｈが開設されている。
Ｓは物品としてのリヤシート、ＦはリヤシートＳに取り付けられているフックを示し、このフックＦは、例えばスチールワイヤで構成され、後述する物品取付具Ｒ内へ挿入される部分がＵ字状に折り曲げられている。
Ｒは物品取付具を示し、リヤシートＳをアンダーパネルＰへ取り付けるために用いるものである。
【００１０】
この物品取付具Ｒについて図１〜図６および図８を参照してさらに説明すると、物品取付具Ｒは、平面形状が長方形で、上面のみが開放した箱部１と、この箱部１の上端に設けられ、下降しながら外側へ所定の幅で周回して広がるフランジ１１と、箱部１の各長辺に対応する平面側の外面に、それぞれ垂直方向へ２つずつ設けられ、フランジ１１とでアンダーパネルＰを挟持する取付爪部２１と、箱部１の各長辺に対応する平面側の内面の下側に、垂直方向へそれぞれ設けられた係止部３１と、箱部１の各長辺に対応する平面側の内面に、各係止部３１の左右に位置させて垂直方向へ設けられた押さえ部４１とが樹脂で一体成形されている。
【００１１】
上記した箱部１は、取付孔ｈへ挿入し易くするため、図２、図４〜図６に示すように、２つの対向する面の下端部分に下側へ向かって漸次窄む傾斜面２が設けられ、また、フックＦを係止部３１へ案内するため、図１、図５および図６に示すように、係止部３１の上側の内側に下側へ向かって漸次窄む傾斜面３が設けられている。
次に、取付爪部２１は、図４および図６に示すように、フランジ１１へ向かって漸次肉厚となるように傾斜面２２を有し、フランジ１１と対向する上端２３が平面とされている。
【００１２】
また、各係止部３１は、図１、図５および図８に示すように、水平方向（図５における左右方向）へ連なる平面部分３２と傾斜面部分３３とで構成され、平面部分３２同士および傾斜面部分３３同士は、図１および図８に示すように、水平方向で重ならないようにずらしてある。
そして、各係止部３１の上端部分は、傾斜面３を延長した傾斜面３４とされている。
なお、各係止部３１に対応する箱部１の外側には、途中から下端まで垂直方向へ凹部４が設けられている。
【００１３】
次に、物品取付具のアンダーパネルへの取付を説明した後、リヤシートのアンダーパネルへの取付について説明する。
まず、物品取付具ＲをアンダーパネルＰへ取り付ける場合、図７に示すように、物品取付具Ｒの下側を取付孔ｈへ挿入すると、箱部１の下端部分に傾斜面２が設けられているので、物品取付具Ｒは傾斜面２で案内されて取付孔ｈへ容易に挿入することができる。
【００１４】
そして、各取付爪部２１の下側がアンダーパネルＰに当接したならば、物品取付具Ｒを押圧すると、各取付爪部２１の傾斜面２２側がアンダーパネルＰで押されて箱部１が内側へ撓むことにより、フランジ１１がアンダーパネルＰに圧接するまで箱部１を取付孔ｈへ挿入することができる。
このように箱部１を取付孔ｈへ挿入し、各係止爪部２１の上端２３がアンダーパネルＰを乗り越えると、図９に示すように、箱部１が自身の弾性で元の状態へ戻ることにより、各係止爪部２１の上端２３がアンダーパネルＰの下側へ入り、アンダーパネルＰをフランジ１１と各係止爪部２１の上端２３とで挟持する状態になるので、物品取付具ＲをアンダーパネルＰへ取り付けることができる。
【００１５】
次に、リヤシートＳをアンダーパネルＰへ取り付ける場合、図７に示すように、アンダーパネルＰに取り付けた物品取付具Ｒの開放した上面へフックＦの下側を挿入すると、まず、フックＦは傾斜面３，３４で案内されて、図８に実線で示すように、係止部３１に当接する。
そして、フックＦが係止部３１に当接したならば、リヤシートＳを介してフックＦを押圧すると、平面部分３２同士および傾斜面部分３３同士は水平方向で重ならないようにずれているので、図８に二点鎖線で示すように、係止部３１の間でフックＦがわずかに回転しながら箱部１を撓ませて係止部３１の間隔を拡げることにより、フックＦは係止部３１の間を通過する。
【００１６】
このようにフックＦが係止部３１の間を通過すると、箱部１が自身の弾性で元の状態に戻ることにより、係止部３１の間隔が狭まり、図８に実線で示すとともに、図９に示すように、係止部３１がフックＦを係止するので、リヤシートＳをアンダーパネルＰへ物品取付具Ｒを介して取り付けることができる。
このとき、押さえ部４１は、回動を阻止するようにフックＦと対向する。
【００１７】
上述したように、係止部３１の間でフックＦがわずかに回転しながら箱部１を撓ませて係止部３１の間隔を拡げる場合、水平方向で重ならないように平面部分３２をずらしてあり、傾斜面部分３３にフックＦが当接しないので、フックＦを通過させるために係止部３１間を拡げる幅が狭くて済むため、フックＦの挿入力を小さくすることができる。
また、平面部分３２に連ねて傾斜面部分３３が設けられているので、フックＦの抜去力を大きくするのに傾斜面部分３３が機能するため、平面部分３２の水平方向の長さが短くても充分な抜去力を確保することができる。
【００１８】
ここで、この第１実施形態における挿入力、抜去力の一例を示すと、挿入力が１３６．６Ｎ、抜去力が２２５．４Ｎと両者の差は大きく、抜去力も２００Ｎを遥かに超えるので、充分な抜去力が確保でき、操作性のよいものとなる。
なお、抜去力が従来例の２７６Ｎよりも小さな２２５．４Ｎになったのは、傾斜面部分３３による抜去力の減少によるものと考えられる。
また、係止部３１の平面部分３２同士および傾斜面部分３３同士を水平方向で重ならないようにずらしたが、平面部分３２が水平方向で重ならないようにずらしてあれば、傾斜面部分３３は水平方向で重なっていても、同様な効果を得ることができる。
【００２４】
【発明の効果】
以上のように、この発明によれば、箱部の一方の対向する内面と平行する水平方向へ連なる平面部分と傾斜面部分とで各係止部を構成し、平面部分同士および傾斜面部分同士を水平方向で重ならないようにずらしたので、係止部の間でフックがわずかに回転しながら箱部を撓ませて係止部の間隔を拡げる場合、フックを通過させるために係止部間を拡げる幅が狭くて済むため、フックの挿入力が従来よりも小さくなるものの、抜去力が従来に近いものとなり、操作性のよい物品取付具となる。
【図面の簡単な説明】
【図１】この発明の第１実施形態である物品取付具を示す平面図である。
【図２】図１に示した物品取付具の正面図である。
【図３】図１に示した物品取付具の底面図である。
【図４】図１に示した物品取付具の右側面図である。
【図５】図１のＡ−Ａ線による断面図である。
【図６】図１のＢ−Ｂ線による断面図である。
【図７】図１に示した物品取付具の利用例を示す分解斜視図である。
【図８】フックの挿入から係止状態を示す説明図である。
【図９】図１に示した物品取付具にフックを係止させた状態の正面図である。
【符号の説明】
Ｒ      物品取付具
１      箱部
２，３  傾斜面
４      凹部
１１    フランジ
２１    取付爪部
２２    傾斜面
２３    上端
３１    係止部
３２    平面部分
３３    傾斜面部分
３４    傾斜面
４１    押さえ部
Ｐ      アンダーパネル
ｈ      取付孔
Ｓ      リヤシート
Ｆ      フック
【図１】
0004222653.tif 000002
【図２】
0004222653.tif 000003
【図３】
0004222653.tif 000004
【図４】
0004222653.tif 000005
【図５】
0004222653.tif 000006
【図６】
0004222653.tif 000007
【図７】
0004222653.tif 000008
【図８】
0004222653.tif 000009
【図９】
0004222653.tif 000010